(57)【要約】【課題】エネルギー型保温容器の構造を提供する。【解決手段】  主に中空状金属製容器本体、蓋及び耐熱性エネルギー装置で構成されたエネルギー型保温容器である。中空状の金属製容器本体の内部収納スペースに開口部及びそれに相対する底部壁を具有する。金属製容器の外層は容器本体の外周壁及び該底部壁を覆うことで、容器本体と容器外層の間に断熱スペースを形成する。蓋は容器本体の頂部で蓋合する。及び一つの耐熱性エネルギー装置は、容器本体の底部壁の外側表面に定置し、該マイナスイオン及び/或いは遠赤外線のエネルギーは容器本体の底部壁を通って、収納スペース内にある飲食品に働きかけ、波動を起こしてエネルギーを活性化させ、新鮮さを保ち、異臭を取り除くと共に、酸味や渋みを抑える効果に達し、飲み水として適用し、健康によい。【選択図】  図５
0003169275.tif 000002
【実用新案登録請求の範囲】
【請求項１】
中空状容器本体、容器外層、蓋、エネルギー装置を含み、
該中空状容器本体の内部収納スペースの頂部に、開口部及びそれに相対する底部壁を具有し、
該容器外層は容器本体の外周壁及び底部壁を取り囲み、容器本体と容器外層の間に断熱スペースを形成し、
該蓋は容器本体の頂部で蓋合し、
該エネルギー装置は、容器本体の底部壁の外側表面に定置し、該エネルギーは容器本体の底部壁を通って、収納スペース内に働きかけることを特徴とするエネルギー型保温容器の構造。
【請求項２】
前記エネルギー装置はエネルギーを含めた耐熱体であることを特徴とする請求項１記載のエネルギー型保温容器の構造。
【請求項３】
前記容器本体の底部壁の外部に一つの固定部品を設置することによって、両者の間にエネルギー装置を定位しやすくすることを特徴とする請求項２記載のエネルギー型保温容器の構造。
【請求項４】
前記エネルギー装置はマイナスイオンのエネルギーを含むことを特徴とする請求項１或いは請求項２、請求項３記載のエネルギー型保温容器の構造。
【請求項５】
前記エネルギー装置は遠赤外線のエネルギーを含むことを特徴とする請求項１或いは請求項２、請求項３記載のエネルギー型保温容器の構造。
【請求項６】
前記エネルギー装置は磁力のエネルギーを含むことを特徴とする請求項１或いは請求項２、請求項３記載のエネルギー型保温容器の構造。
【請求項７】
前記容器本体の底部壁の中央に一つの中空状の内側凸部を設置し、相対して外側凹部を形成し、該エネルギー装置を外側凹部内に設置することを特徴とする請求項１或いは請求項２、請求項３記載のエネルギー型保温容器の構造。
【請求項８】
前記容器本体と容器外層は頂部が連なる金属体であり、該断熱スペースの内部を真空状態に近づけることを特徴とする請求項１或いは請求項２、請求項３記載のエネルギー型保温容器の構造。
【考案の詳細な説明】
【技術分野】
【０００１】
本考案はエネルギー型保温容器の構造に関し、特にマイナスイオン及び遠赤外線のエネルギーを具有する保温容器の構造に関する。
【背景技術】
【０００２】
保温容器とは主にお茶や飲み物、スープ類やお粥などの食品の温度を保つ容器であり、その形や種類は瓶やカン、筒状にコップ、鍋型など様々であり、色んな飲食品を保温保存しやすく、取って食しやすい。
【０００３】
現在保温瓶で最も使われているのは、一般的な金属製の保温瓶であり、それに含まれるのはボディと蓋であり、ボディには内壁、外壁及び注ぎ口を具有する。ボディの内側は中空の容器として水を入れることができ、注ぎ口は内壁の上方に設置し、水を注ぎ口から内壁に入れることができる。外壁は内壁の外側表面を覆うもので、内壁との間に閉鎖したスペースを形成し、保温効果を得るために、通常該閉鎖スペースは真空状態にすることで、熱を内壁から外壁に逃がさないようにする。また、内壁の内側表面は通常ガラス加工を施すため、熱を内壁に留まらせる。蓋は注ぎ口と結合し、該密閉状態は、保温瓶の保温効果にも影響する。
【０００４】
従来技術の金属製真空保温瓶はただ入れた飲食品の保温をするだけで、ほかに何らかのエネルギー効果を付加しているものではない。特に製造する過程において、該金属製のボディ内部は、真空にするために空気を燃やして高温になるゆえに、エネルギー装置を設置するのは難しい。上記を鑑みて、従来技術を更に改善する必要があった。
【先行技術文献】
【特許文献】
【０００５】
【特許文献１】特開２００３−３３９４５４号公報
【考案の概要】
【考案が解決しようとする課題】
【０００６】
前記公知構造の欠点を解決するため、本考案は金属製の保温容器内側底部壁の外側表面に、耐熱性のあるエネルギー装置を設置する。マイナスイオン及び/或いは遠赤外線のエネルギーを飲食品に働きかけ、波動を起こしてエネルギーを活性化させ、新鮮さを保ち、異臭を取り除くと共に、酸味や渋みを抑える効果に達し、飲み水として適用し、健康によいエネルギー型保温容器の構造を提供することを主な課題とする。
【課題を解決するための手段】
【０００７】
前記課題を解決するため、本考案はエネルギー型保温容器を提供する。それに含まれるのは中空状の容器本体、容器外層、蓋及びエネルギー装置であり、該中空状容器本体の内部収納スペースの頂部に、開口部及びそれに相対する底部壁を具有する。該容器外層は容器本体の外周壁及び底部壁を取り囲み、容器本体と容器外層の間に断熱スペースを形成する。該蓋は容器本体の頂部で蓋合し、及び該エネルギー装置は、容器本体の底部壁の外側表面に定置し、該エネルギーは容器本体の底部壁を通って、収納スペース内に働きかける。
【０００８】
最良実施例では、該エネルギー装置はエネルギーを含む耐熱体とし、更に、該容器本体の底部壁の外部に一つの固定部品を設置し、両者の間にエネルギー装置５を定位しやすくする。
【０００９】
最良実施例では、該エネルギー装置はマイナスイオン、遠赤外線或いは磁力のエネルギーを具有する。
【００１０】
最良実施例では、該容器本体の底部壁の中央に中空状の内側凸部を設置し、相対して外側凹部を形成し、該エネルギー装置を外側凹部内に設置する。
【００１１】
最良実施例では、該容器本体と容器外層は、頂部が連なる金属体に設置し、該断熱スペースの内部を真空状態に近づける。
【考案の効果】
【００１２】
本考案は保温容器内部の容器本体の底部壁の外側表面に、耐熱性のあるエネルギー装置を設置することで、それに具有するマイナスイオン及び/或いは遠赤外線のエネルギーは容器内に入れた飲食品に働きかけて、波動を起こしてエネルギーを活性化させ、新鮮さを保ち、異臭を取り除くと共に、酸味や渋味を抑え、飲み水として適用し、健康によい。
【図面の簡単な説明】
【００１３】
【図１】本考案におけるエネルギー型保温容器の立体図である。
【図２】図１のエネルギー型保温容器の断面図である。
【図３】図１のエネルギー型保温容器の蓋を開けた立体図である。
【図４】図３のエネルギー型保温容器のコントロールバルブを開いた立体図である。
【図５】図４の保温容器本体の立体図である。
【図６】図５の保温容器本体の局部拡大図である。
【図７】図６の保温容器本体部品の分解図である。
【考案を実施するための形態】
【００１４】
本考案によるエネルギー型保温容器の構造を明確に示すために図に沿って詳細な説明を行う。
【実施例】
【００１５】
図１から図４に示すように、本考案のエネルギー型保温容器は、容器本体１及び容器外層２で組み合わせた保温容器の本体である。全てステンレスの金属製を使用し、高熱の状態で真空断熱のプロセスを実施する。更に容器本体１の上に蓋３及びコントロールバルブ４を組み合わせる。
【００１６】
図１から図５に示すのは、本考案のエネルギー型保温容器が用いる真空断熱構造である。中空状の容器本体１内部の収納スペース１１に外周壁１２、開口部１４及びそれに相対する底部壁１３及び、外側ねじ山１５、１７と漏れ防止定位用の内側凸縁１９を具有する。容器の外層２は外周壁２２及び底部開口２４(図７を参照)を具有し、合わせて底部蓋２３を組み立てた後は更に、外周縁５３の頂部を容器本体１の外周壁１２及び該底部壁１３を囲むように熔接することで、容器本体１と容器外層２との間に真空状態に近い断熱スペース２１を形成する。蓋３は容器本体１の頂部で蓋合し、内側ねじ山３１を外側ねじ山１５に合わせて螺合する。コントロールバルブ４は内側ねじ山４１を外側ねじ山１７に合わせて螺合することで、コントロールバルブ４が開口部１４内に定位し、更に密閉リング４５を使って、内側凸縁１９を定位につける。コントロールバルブ４に二つの操作部品４２、４３を設けて、注ぎ口４４の開閉をコントロールする。
【００１７】
本考案のエネルギー型保温容器は主にエネルギー装置５を結合し、図２から図６に示すように、エネルギー装置５を容器本体１の底部壁１３の外側表面に定置し、マイナスイオン及び/或いは遠赤外線のエネルギーは容器本体１の底部壁１３を通って、収納スペース１１内部にある飲食品６に働きかけ、波動を起こしてエネルギーを活性化させ、新鮮さを保ち、異臭を取り除くと共に、酸味や渋味を抑え、飲み水として適用し、健康によい。
【００１８】
図５、図６及び図７に示すように、エネルギー装置５はエネルギーを含む陶磁類の耐熱体５１にすることができ、容器本体１の底部壁１３の外部に金属製の固定部品５２を設置することによって、両者の間にエネルギー装置５を定位しやすくする。この固定部品５２は開口部を上に向けた底部蓋であり、外周縁５３を容器本体１の外周壁１２と套合して定位する。エネルギー装置５の耐熱体５１にマイナスイオン及び/或いは遠赤外線のエネルギーを含むことができ、また、磁力エネルギーを具有することもできる。
【００１９】
実際の製造過程では、図５、図６及び図７に示すように、容器本体１、容器外層２、エネルギー装置５及び該固定部品５２はいずれも高熱に耐えることができるため、製造過程において、高温で断熱スペース２１内部の空気を燃やして真空状態に近づけることができ、その上金属製の底部蓋２３を熔接して密閉する。このほか、容器本体１の底部壁１３の中央に中空状の内側凸部１６を設置し、相対して外側凹部１８を形成することで、エネルギー装置５がしっかりと外側凹部１８内に定位し、エネルギーの働きを行う。
【産業上の利用可能性】
【００２０】
本考案は従来技術の真空保温瓶の技術不足を解決することができ、その重要な技術とは、保温容器内部の容器本体１の底部壁１３の外側表面に、耐熱性のあるエネルギー装置５を設置し、マイナスイオン及び/或いは遠赤外線のエネルギーは容器内に入れた飲食品６に働きかけて、波動を起こしてエネルギーを活性化させ、新鮮さを保ち、異臭を取り除くと共に、酸味や渋味を抑え、飲み水として適用し、健康によい。
【００２１】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２２】
１、 容器本体
１１、収納スペース
１２、外周壁
１３、底部壁
１４、開口部
１５、外側ねじ山
１６、内側凸部
１７、外側ねじ山
１８、外側凹部
１９、内側凸縁
２、容器外層
２１、断熱スペース
２２、外周壁
２３、底部蓋
２４、底部開口
３、蓋
３１、内側ねじ山
３、蓋
３１、内側ねじ山
４、コントロールバルブ
４１、内側ねじ山
４２、操作部品
４３、操作部品
４４、注ぎ口
４５、密閉リング
５、エネルギー装置
５１、耐熱体
５２、固定部品
５３、外周縁
６、飲食品
【図１】
0003169275.tif 000003
【図２】
0003169275.tif 000004
【図３】
0003169275.tif 000005
【図４】
0003169275.tif 000006
【図５】
0003169275.tif 000007
【図６】
0003169275.tif 000008
【図７】
0003169275.tif 000009
【手続補正書】
【提出日】平成23年2月23日(2011.2.23)
【手続補正２】
【補正対象書類名】明細書
【補正対象項目名】０００１
【補正方法】変更
【補正の内容】
【０００１】
本考案は保温容器の構造に関し、特にマイナスイオン及び遠赤外線を具有する保温容器の構造に関する。
【手続補正３】
【補正対象書類名】明細書
【補正対象項目名】０００４
【補正方法】変更
【補正の内容】
【０００４】
従来技術の金属製真空保温瓶は、ただ入れた飲食品の保温をするだけで、ほかに何らかの効果を付加しているものではない。特に製造する過程において、該金属製のボディ内部は、真空にするために空気を燃やして高温になるゆえに、他の装置を設置するのは難しい。上記を鑑みて、従来技術を更に改善する必要があった。
【手続補正４】
【補正対象書類名】明細書
【補正対象項目名】０００６
【補正方法】変更
【補正の内容】
【０００６】
前記公知構造の欠点を解決するため、本考案は金属製の保温容器内側底部壁の外側表面に、耐熱部品を設置する。マイナスイオン及び／或いは遠赤外線を飲食品に働きかけ、新鮮さを保ち、異臭を取り除くと共に、酸味や渋みを抑える効果に達し、飲み水として適用し、健康によい保温容器の構造を提供することを主な課題とする。
【手続補正５】
【補正対象書類名】明細書
【補正対象項目名】０００７
【補正方法】変更
【補正の内容】
【０００７】
前記課題を解決するため、本考案は保温容器を提供する。それに含まれるのは中空状の容器本体、容器外層、蓋及び耐熱部品であり、該中空状容器本体の内部収納スペースの頂部に、開口部及びそれに相対する底部壁を具有する。該容器外層は容器本体の外周壁及び底部壁を取り囲み、容器本体と容器外層の間に断熱スペースを形成する。該蓋は容器本体の頂部で蓋合し、該耐熱部品は、容器本体の底部壁の外側表面に定置する。
【手続補正６】
【補正対象書類名】明細書
【補正対象項目名】０００８
【補正方法】変更
【補正の内容】
【０００８】
最良実施例では、該耐熱部品は耐熱体とし、更に、該容器本体の底部壁の外部に一つの固定部品を設置し、両者の間に耐熱部品５を定位しやすくする。
【手続補正７】
【補正対象書類名】明細書
【補正対象項目名】０００９
【補正方法】変更
【補正の内容】
【０００９】
最良実施例では、該耐熱部品はマイナスイオン、遠赤外線或いは磁力を具有する。
【手続補正８】
【補正対象書類名】明細書
【補正対象項目名】００１０
【補正方法】変更
【補正の内容】
【００１０】
最良実施例では、該容器本体の底部壁の中央に中空状の内側凸部を設置し、相対して外側凹部を形成し、該耐熱部品を外側凹部内に設置する。
【手続補正９】
【補正対象書類名】明細書
【補正対象項目名】００１２
【補正方法】変更
【補正の内容】
【００１２】
本考案は保温容器内部の容器本体の底部壁の外側表面に、耐熱部品を設置し、具有するマイナスイオン及び／或いは遠赤外線が容器内に入れた飲食品に働きかけることで、新鮮さを保ち、異臭を取り除くと共に、酸味や渋味を抑え、飲み水として適用でき、健康によい。
【手続補正１０】
【補正対象書類名】明細書
【補正対象項目名】００１３
【補正方法】変更
【補正の内容】
【００１３】
【図１】本考案における保温容器の立体図である。
【図２】図１の保温容器の断面図である。
【図３】図１の保温容器の蓋を開けた立体図である。
【図４】図３の保温容器のコントロールバルブを開いた立体図である。
【図５】図４の保温容器本体の立体図である。
【図６】図５の保温容器本体の局部拡大図である。
【図７】図６の保温容器本体部品の分解図である。
【手続補正１１】
【補正対象書類名】明細書
【補正対象項目名】００１４
【補正方法】変更
【補正の内容】
【００１４】
本考案による保温容器の構造を明確に示すために図に沿って詳細な説明を行う。
【手続補正１２】
【補正対象書類名】明細書
【補正対象項目名】００１５
【補正方法】変更
【補正の内容】
【００１５】
図１から図４に示すように、本考案の保温容器は、容器本体１及び容器外層２で組み合わせた保温容器の本体である。全てステンレスの金属製を使用し、高熱の状態で真空断熱のプロセスを実施する。更に容器本体１の上に蓋３及びコントロールバルブ４を組み合わせる。
【手続補正１３】
【補正対象書類名】明細書
【補正対象項目名】００１６
【補正方法】変更
【補正の内容】
【００１６】
図１から図５に示すのは、本考案の保温容器が用いる真空断熱構造である。中空状の容器本体１内部の収納スペース１１に外周壁１２、開口部１４及びそれに相対する底部壁１３及び、外側ねじ山１５、１７と漏れ防止定位用の内側凸縁１９を具有する。容器の外層２は外周壁２２及び底部開口２４(図７を参照)を具有し、合わせて底部蓋２３を組み立てた後は更に、外周縁５３の頂部を容器本体１の外周壁１２及び該底部壁１３を囲むように熔接することで、容器本体１と容器外層２との間に真空状態に近い断熱スペース２１を形成する。蓋３は容器本体１の頂部で蓋合し、内側ねじ山３１を外側ねじ山１５に合わせて螺合する。コントロールバルブ４は内側ねじ山４１を外側ねじ山１７に合わせて螺合することで、コントロールバルブ４が開口部１４内に定位し、更に密閉リング４５を使って、内側凸縁１９を定位につける。コントロールバルブ４に二つの操作部品４２、４３を設けて、注ぎ口４４の開閉をコントロールする。
【手続補正１４】
【補正対象書類名】明細書
【補正対象項目名】００１７
【補正方法】変更
【補正の内容】
【００１７】
本考案の保温容器は主に耐熱部品５を結合し、図２から図６に示すように、耐熱部品５を容器本体１の底部壁１３の外側表面に定置し、マイナスイオン及び／或いは遠赤外線が容器本体１の底部壁１３を通って、収納スペース１１内部にある飲食品６に働きかけ、新鮮さを保ち、異臭を取り除くと共に、酸味や渋味を抑え、飲み水として適用でき、健康によい。
【手続補正１５】
【補正対象書類名】明細書
【補正対象項目名】００１８
【補正方法】変更
【補正の内容】
【００１８】
図５、図６及び図７に示すように、耐熱部品５は陶磁類の耐熱体５１にすることができ、容器本体１の底部壁１３の外部に金属製の固定部品５２を設置することによって、両者の間に耐熱部品５を定位しやすくする。この固定部品５２は開口部を上に向けた底部蓋であり、外周縁５３を容器本体１の外周壁１２と套合して定位する。耐熱部品５の耐熱体５１にマイナスイオン及び／或いは遠赤外線が含まれ、また、磁力が含まれていても良い。
【手続補正１６】
【補正対象書類名】明細書
【補正対象項目名】００１９
【補正方法】変更
【補正の内容】
【００１９】
実際の製造過程では、図５、図６及び図７に示すように、容器本体１、容器外層２、耐熱部品５及び該固定部品５２はいずれも高熱に耐えることができるため、製造過程において、高温で断熱スペース２１内部の空気を燃やして真空状態に近づけることができ、その上金属製の底部蓋２３を熔接して密閉する。このほか、容器本体１の底部壁１３の中央に中空状の内側凸部１６を設置し、相対して外側凹部１８を形成することで、耐熱部品５がしっかりと外側凹部１８内に定位する。
【手続補正１７】
【補正対象書類名】明細書
【補正対象項目名】００２０
【補正方法】変更
【補正の内容】
【００２０】
本考案は従来技術の真空保温瓶の技術不足を解決することができ、その重要な技術とは、保温容器内部の容器本体１の底部壁１３の外側表面に、耐熱性のある耐熱部品５を設置し、マイナスイオン及び／或いは遠赤外線が容器内に入れた飲食品６に働きかけて、新鮮さを保ち、異臭を取り除くと共に、酸味や渋味を抑え、飲み水として適用し、健康によい。
【手続補正１８】
【補正対象書類名】明細書
【補正対象項目名】００２２
【補正方法】変更
【補正の内容】
【００２２】
１、 容器本体
１１、収納スペース
１２、外周壁
１３、底部壁
１４、開口部
１５、外側ねじ山
１６、内側凸部
１７、外側ねじ山
１８、外側凹部
１９、内側凸縁
２、容器外層
２１、断熱スペース
２２、外周壁
２３、底部蓋
２４、底部開口
３、蓋
３１、内側ねじ山
３、蓋
３１、内側ねじ山
４、コントロールバルブ
４１、内側ねじ山
４２、操作部品
４３、操作部品
４４、注ぎ口
４５、密閉リング
５、耐熱部品
５１、耐熱体
５２、固定部品
５３、外周縁
６、飲食品
【手続補正１９】
【補正対象書類名】実用新案登録請求の範囲
【補正対象項目名】全文
【補正方法】変更
【補正の内容】
【実用新案登録請求の範囲】
【請求項１】
中空状容器本体、容器外層、蓋、耐熱部品を含み、
該中空状容器本体の内部収納スペースの頂部に、開口部及びそれに相対する底部壁を具有し、
該容器外層は容器本体の外周壁及び底部壁を取り囲み、容器本体と容器外層の間に断熱スペースを形成し、
該蓋は容器本体の頂部で蓋合し、
該耐熱部品は、容器本体の底部壁の外側表面に定置することを特徴とする保温容器の構造。
【請求項２】
前記容器本体の底部壁の外部に一つの固定部品を設置することによって、両者の間に耐熱部品を定位しやすくすることを特徴とする請求項１記載の保温容器の構造。
【請求項３】
前記耐熱部品はマイナスイオンを含むことを特徴とする請求項１又は２記載の保温容器の構造。
【請求項４】
前記耐熱部品は遠赤外線を含むことを特徴とする請求項１又は２記載の保温容器の構造。
【請求項５】
前記耐熱部品は磁力を含むことを特徴とする請求項１又は２記載の保温容器の構造。
【請求項６】
前記容器本体の底部壁の中央に一つの中空状の内側凸部を設置し、相対して外側凹部を形成し、該耐熱部品を外側凹部内に設置することを特徴とする請求項１又は２記載の保温容器の構造。
【請求項７】
前記容器本体と容器外層は頂部が連なる金属体であり、該断熱スペースの内部を真空状態に近づけることを特徴とする請求項１又は２記載の保温容器の構造。
【手続補正書】
【提出日】平成23年5月20日(2011.5.20)
【手続補正１】
【補正対象書類名】実用新案登録請求の範囲
【補正対象項目名】全文
【補正方法】変更
【補正の内容】
【実用新案登録請求の範囲】
【請求項１】
中空状容器本体、容器外層、蓋、耐熱部品を含み、
該中空状容器本体の内部収納スペースの頂部に、開口部及びそれに相対する底部壁を具有し、
該容器外層は容器本体の外周壁及び底部壁を取り囲み、容器本体と容器外層の間に断熱スペースを形成し、
該蓋は容器本体の頂部で蓋合し、
該耐熱部品は、容器本体の底部壁の外側表面に定置することを特徴とする保温容器の構造。
【請求項２】
前記容器本体の底部壁の外部に一つの固定部品を設置することによって、両者の間に耐熱部品を定位しやすくすることを特徴とする請求項１記載の保温容器の構造。
【請求項３】
前記耐熱部品はマイナスイオンを発生させることを特徴とする請求項１又は２記載の保温容器の構造。
【請求項４】
前記耐熱部品は遠赤外線を発生させることを特徴とする請求項１又は２記載の保温容器の構造。
【請求項５】
前記耐熱部品は磁力を発生させることを特徴とする請求項１又は２記載の保温容器の構造。
【請求項６】
前記容器本体の底部壁の中央に一つの中空状の内側凸部を設置し、相対して外側凹部を形成し、該耐熱部品を外側凹部内に設置することを特徴とする請求項１又は２記載の保温容器の構造。
【請求項７】
前記容器本体と容器外層は頂部が連なる金属体であり、該断熱スペースの内部を真空状態に近づけることを特徴とする請求項１又は２記載の保温容器の構造。